【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
複合映像信号から色信号成分を抽出して色信号を出力する色信号抽出手段と、上記複合映像信号から上記色信号を減算して輝度信号を出力する輝度信号抽出手段とを備えた輝度信号色信号分離回路であって、
上記複合映像信号とライン遅延手段により遅延された複合映像信号から垂直方向の色副搬送波成分に相当する周波数成分を抽出する垂直方向色信号抽出手段と、上記複合映像信号からライン相関周波数の４分の１付近で、かつ色搬送周波数付近の色信号の垂直高周波数成分を横ドット周波数成分として検出する横ドット周波数成分検出手段と、上記複合映像信号の所定周波数領域の成分を抽出して基準信号として出力する基準信号抽出手段と、上記色信号の垂直高周波成分と上記基準信号の成分とを比較する比較手段と、上記比較手段出力に基づいて上記垂直方向色信号抽出手段出力信号と上記複合映像信号とを切り替える切り替え手段と、上記切り替え手段出力信号から水平方向の色副搬送波成分に相当する周波数成分を抽出する水平方向色信号抽出手段とを備え、
上記切り替え手段は、上記比較手段出力が縦方向に色信号の変化があり横ドット成分の多い状態を示すときには上記複合映像信号を選択し、上記比較出力が横ドット成分の多い状態を示さないときに上記垂直方向色信号抽出手段出力信号を選択するように切り替えることを特徴とする輝度信号色信号分離回路。
【請求項２】
基準信号抽出手段は、上記横ドット周波数成分検出手段と同じ遅延時間を付与する遅延手段により構成されることを特徴とする請求項１記載の輝度信号色信号分離回路。
【請求項３】
基準信号抽出手段は、上記水平方向色信号抽出手段の抽出する色信号より広い帯域を抽出するような水平方向色信号抽出手段を備え、その出力信号に対して、横ドット周波数成分検出手段と同じ遅延時間を付与することを特徴とする請求項１記載の輝度信号色信号分離回路。
【請求項４】
基準信号抽出手段は、垂直方向輝度信号成分を抽出する垂直方向輝度信号抽出手段と、水平方向輝度信号成分を抽出する水平方向輝度信号抽出手段と、上記垂直方向輝度信号成分と上記水平方向輝度信号成分にそれぞれ上記横ドット周波数成分検出手段と同じ遅延時間を付与するための遅延手段と、それぞれを加算し輝度信号成分を出力する加算手段とを備えたことを特徴とする請求項１記載の輝度信号色信号分離回路。
【請求項５】
比較手段は、上記基準成分、上記色信号の垂直高周波成分に対して重み付けする乗数器を備えたことを特徴とする請求項１記載の輝度信号色信号分離回路。
【手続補正２】
【補正対象書類名】明細書
【補正対象項目名】００１５
【補正方法】変更
【補正の内容】
【００１５】
【課題を解決するための手段】
この発明に係る輝度信号色信号分離回路は、複合映像信号から色信号成分を抽出して色信号を出力する色信号抽出手段と、上記複合映像信号から上記色信号を減算して輝度信号を出力する輝度信号抽出手段とを備えた輝度信号色信号分離回路であって、
上記複合映像信号とライン遅延手段により遅延された複合映像信号から垂直方向の色副搬送波成分に相当する周波数成分を抽出する垂直方向色信号抽出手段と、上記複合映像信号からライン相関周波数の４分の１付近で、かつ色搬送周波数付近の色信号の垂直高周波数成分を横ドット周波数成分として検出する横ドット周波数成分検出手段と、上記複合映像信号の所定周波数領域の成分を抽出して基準信号として出力する基準信号抽出手段と、上記色信号の垂直高周波成分と上記基準信号の成分とを比較する比較手段と、上記比較手段出力に基づいて上記垂直方向色信号抽出手段出力信号と上記複合映像信号とを切り替える切り替え手段と、上記切り替え手段出力信号から水平方向の色副搬送波成分に相当する周波数成分を抽出する水平方向色信号抽出手段とを備えたものである。
【手続補正３】
【補正対象書類名】明細書
【補正対象項目名】００１６
【補正方法】変更
【補正の内容】
【００１６】
また、基準信号抽出手段は、上記横ドット周波数成分検出手段と同じ遅延時間を付与する遅延手段で構成されているものである。
【手続補正４】
【補正対象書類名】明細書
【補正対象項目名】００１７
【補正方法】変更
【補正の内容】
【００１７】
また、基準信号抽出手段は、上記水平方向色信号抽出手段の抽出する色信号より広い帯域を抽出するような水平方向色信号抽出手段を備え、その出力信号に対して、横ドット周波数成分検出手段と同じ遅延時間を付与するものである。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
また、基準信号抽出手段は、垂直方向輝度信号成分を抽出する垂直方向輝度信号抽出手段と、水平方向輝度信号成分を抽出する水平方向輝度信号抽出手段と、上記垂直方向輝度信号成分と上記水平方向輝度信号成分にそれぞれ上記横ドット周波数成分検出手段と同じ遅延時間を付与するための遅延手段と、それぞれを加算し輝度信号成分を出力する加算手段とを備えたものである。
【手続補正８】
【補正対象書類名】明細書
【補正対象項目名】００２１
【補正方法】変更
【補正の内容】
【００２１】
また、比較手段は、上記基準成分、上記色信号の垂直高周波成分に対して重み付けする乗数器を備えたものである。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００３２
【補正方法】変更
【補正の内容】
【００３２】
図１ないし図６に基づいて、この実施の形態１の輝度信号色信号分離回路の動作について説明する。
図１に示すように、入力端１より入力された複合映像信号Ｖは、Ａ／Ｄ変換器５によりアナログ信号からデジタル信号ｖに変換され、色信号抽出フィルタ１０１、輝度信号抽出フィルタ７０１、横ドット周波数成分検出フィルタ３０１および基準信号抽出器５０１に与えられる。横ドット周波数成分検出フィルタ３０１の出力ｃｖおよび基準信号抽出器５０１の出力ｒｅは共に比較器６０１に与えられる。比較器６０１の出力Ｖ／ＶＨは、色信号抽出フィルタ１０１に制御信号として与えられる。色信号抽出フィルタ１０１の出力ｃは輝度信号抽出フィルタ７０１とＤ／Ａ変換器６に与えられる。Ｄ／Ａ変換器６によりデジタル信号ｃからアナログ信号Ｃに変換され、出力端２より出力される。輝度信号抽出フィルタ７０１の出力ｙはＤ／Ａ変換器７によりデジタル信号ｙからアナログ信号Ｙに変換され、出力端３より出力される。
【手続補正１４】
【補正対象書類名】明細書
【補正対象項目名】００６４
【補正方法】変更
【補正の内容】
【００６４】
複合映像信号とライン遅延手段により遅延された複合映像信号から垂直方向の色副搬送波成分に相当する周波数成分を抽出する垂直方向色信号抽出手段と、上記複合映像信号からライン相関周波数の４分の１付近で、かつ色搬送周波数付近の色信号の垂直高周波数成分を横ドット周波数成分として検出する横ドット周波数成分検出手段と、上記複合映像信号の所定周波数領域の成分を抽出して基準信号として出力する基準信号抽出手段と、上記色信号の垂直高周波成分と上記基準信号の成分とを比較する比較手段と、上記比較手段出力に基づいて上記垂直方向色信号抽出手段出力信号と上記複合映像信号とを切り替える切り替え手段と、上記切り替え手段出力信号から水平方向の色副搬送波成分に相当する周波数成分を抽出する水平方向色信号抽出手段とを備え、上記切り替え手段が、上記比較手段出力が上記横ドット成分の多い状態を示すとき上記複合映像信号を選択し、上記水平方向色抽出手段の通過帯域に横ドット周波数領域を含むようにしたので、横ドットのない輝度信号色信号分離を実現できる。また、ライン遅延器数が少なく、安価な輝度信号色信号分離回路が得られる。
【手続補正１５】
【補正対象書類名】明細書
【補正対象項目名】００６７
【補正方法】削除
【補正の内容】
【手続補正１６】
【補正対象書類名】明細書
【補正対象項目名】００６８
【補正方法】削除
【補正の内容】
【手続補正１７】
【補正対象書類名】明細書
【補正対象項目名】００７１
【補正方法】削除
【補正の内容】
【手続補正１８】
【補正対象書類名】明細書
【補正対象項目名】００７２
【補正方法】削除
【補正の内容】
【手続補正１９】
【補正対象書類名】明細書
【補正対象項目名】００７３
【補正方法】削除
【補正の内容】
【手続補正２０】
【補正対象書類名】明細書
【補正対象項目名】００７４
【補正方法】削除
【補正の内容】